(57)【要約】【課題】変速時にブリッピング制御を行う変速機を備えた車両に対し、多重変速の実行時における変速の応答性を高めることが可能な車両の制御装置を提供する。【解決手段】第１の目標変速段（３ｒｄ）への変速途中に第２の目標変速段（２ｎｄ）への変速要求がなされた多重変速時、第１の目標変速段の成立時に係合し且つ第２の目標変速段の成立時に解放されるクラッチが完全に解放されるまでの期間、タービン回転数ＮＴをモニタし、このタービン回転数ＮＴが第１の目標変速段の同期回転数に達することのない範囲で、できるだけ高い回転数になるようにエンジンの吸入空気量を調整する。上記クラッチが完全に解放された後に、第２の目標変速段を成立させるためのブリッピング制御を実行し、この第２の目標変速段への変速動作を開始させる。【選択図】図７
2011247227.tif 000002
【特許請求の範囲】
【請求項１】
内燃機関の回転数を調整可能な回転数調整機構と、摩擦係合要素及びワンウェイクラッチを選択的に係合させることにより所定の変速段を成立させ上記内燃機関からの駆動力を変速して出力する変速機とを備え、変速機のシフトダウン動作が行われる際に、内燃機関の回転数を上昇させるブリッピング制御を行うようにした車両の制御装置において、
上記変速機の第１の目標変速段への変速動作途中で第２の目標変速段への変速指示がなされる多重変速時、上記第２の目標変速段への変速に伴って解放動作を行う摩擦係合要素の解放が完了するまで、変速機の入力軸回転数を、上記第１の目標変速段の同期回転数未満に維持しながら、この同期回転数に近付けるように上記回転数調整機構を制御する回転数調整手段を備えていることを特徴とする車両の制御装置。
【請求項２】
請求項１記載の車両の制御装置において、
上記回転数調整機構は、内燃機関の吸入空気量を調整するスロットルバルブであって、上記回転数調整手段は、変速機の多重変速時、第２の目標変速段への変速に伴って解放動作を行う摩擦係合要素の解放が完了するまで、変速機の入力軸回転数を、上記第１の目標変速段の同期回転数に近付けるようにスロットルバルブの開度を制御するよう構成されていることを特徴とする車両の制御装置。
【請求項３】
請求項１または２記載の車両の制御装置において、
上記回転数調整機構は、変速機の入力軸回転数と上記第１の目標変速段の同期回転数との乖離量が所定量に達するまで内燃機関の回転数が上昇するように回転数調整機構を作動させていき、この変速機の入力軸回転数と上記第１の目標変速段の同期回転数との乖離量が所定量に達すると回転数調整機構の作動状態を維持するよう構成されていることを特徴とする車両の制御装置。
【発明の詳細な説明】
【技術分野】
【０００１】
本発明は、内燃機関及び自動変速機を搭載した車両の制御装置に係る。特に、本発明は、ある変速段を成立させるべく自動変速機の変速動作を行っている途中で異なる変速段への変速要求が生じた場合の制御の改良に関する。
【背景技術】
【０００２】
自動車等に搭載される自動変速機として、例えば、クラッチ及びブレーキと遊星歯車装置とを用いてギヤ段（以下、変速段と呼ぶ場合もある）を設定する遊星歯車式自動変速機が知られている。
【０００３】
この種の自動変速機が搭載された車両においては、車速とアクセル開度（またはスロットル開度）に応じた最適なギヤ段を得るための変速線（ギヤ段の切り換えライン）を有する変速マップがＥＣＵ（Ｅｌｅｃｔｒｏｎｉｃ  Ｃｏｎｔｒｏｌ  Ｕｎｉｔ）等に記憶されている。そして、この変速マップを参照して車速及びアクセル開度に基づいて目標ギヤ段を求め、その目標ギヤ段が得られるように、摩擦係合要素である上記クラッチやブレーキを所定状態に係合または解放し、ギヤ段（変速段）を自動的に設定している。
【０００４】
また、この自動変速機の摩擦係合要素としてワンウェイクラッチを利用しているものも知られている。つまり、自動変速機の動力伝達系路の一部にワンウェイクラッチが配設され、例えばワンウェイクラッチの入力側（エンジン側）の回転数が出力側（駆動輪側）の回転数よりも高くなった場合に係合状態となって動力伝達に寄与するものである（例えば、特許文献１を参照）。
【０００５】
また、この自動変速機が搭載された車両においては、運転者により操作されるシフトレバーが設けられており、そのシフトレバーを操作することにより、自動変速機のシフトポジションを、例えばＰ（パーキングレンジ）位置、Ｒ（後進走行レンジ）位置、Ｎ（ニュートラルレンジ）位置、Ｄ（前進走行レンジ）位置等に切り換えることができる。更に、手動変速機能付きの自動変速機（所謂シーケンシャルモード付き自動変速機）も実用化されており、上記シフトレバーの操作によって自動変速機の変速段を任意に切り換えることも可能になっている。
【０００６】
ところで、この種の自動変速機にあっては、ある変速段への変速動作の途中で、その変速段とは異なる変速段への変速要求がなされることがある。例えば、上記シーケンシャルモードにおける運転者のシフトレバー操作として、連続したシフトダウン操作が行われた場合などである。具体的には、４速段（４ｔｈ）での走行中に運転者のシフトレバー操作によって３速段（３ｒｄ）への変速指示が行われた後、その３速段（３ｒｄ）への変速動作の途中で（３速段の成立前に）、再び運転者のシフトレバー操作が行われて２速段（２ｎｄ）への変速指示が行われた場合が挙げられる。
【０００７】
尚、以下の説明では、前者の変速段（上記の例の場合には３速段）を「第１の目標変速段」と呼び、後者の変速段、つまり「第１の目標変速段」への変速動作途中に変速要求がなされた変速段（上記の例の場合には２速段）を「第２の目標変速段」と呼ぶこととする。
【０００８】
上述のような変速要求がなされた場合、上記第１の目標変速段の成立を待って第２の目標変速段への変速動作を開始する単一変速（順番変速とも呼ばれる）では、変速動作の応答性が十分に得られないことになる。このため、上記第１の目標変速段の成立を待つことなく第２の目標変速段への変速動作を開始する多重変速（飛び変速とも呼ばれる）を行うことが提案されている（例えば、特許文献２を参照）。
【０００９】
一方、下記の特許文献３にも開示されているように、自動変速機のシフトダウン（上記シーケンシャルモードにおける運転者のシフトレバー操作によるシフトダウン）が行われた際、変速ショックを軽減するために、ブリッピング制御を行うものも知られている。このブリッピング制御は、上記シフトダウン時に、一時的にスロットル開度を増大させるなどしてエンジン回転数を上昇させ（自動変速機の入力軸回転数を変速後の変速段における同期回転数に向けて上昇させ）、これにより、上記摩擦係合要素の係合動作等を円滑に行って変速ショックを軽減するものである。
【先行技術文献】
【特許文献】
【００１０】
【特許文献１】特開２００８−６９９４７号公報
【特許文献２】特開２００８−２３２１６９号公報
【特許文献３】特開２０１０−７４９１号公報
【発明の概要】
【発明が解決しようとする課題】
【００１１】
ところで、上述したようなシフトダウン時にブリッピング制御を行うようにした自動変速機にあっては、上記多重変速の実行時、以下に述べるような不具合があった。
【００１２】
つまり、自動変速機にあっては、上記第１の目標変速段では係合され且つ第２の目標変速段では解放されるクラッチと、第１の目標変速段への移行時に係合されるワンウェイクラッチとを備えたものがある。このような自動変速機の多重変速時において、上記第１の目標変速段への変速途中に第２の目標変速段への変速指示がなされると、その時点から第２の目標変速段を成立させるために上記クラッチの解放動作が開始される。このような状況で、第２の目標変速段を成立させるためのブリッピング制御を行ってしまうと、上記クラッチの解放動作が完了する前に自動変速機の入力軸回転数（以下、タービン回転数と呼ぶ場合もある）が第１の目標変速段の同期回転に達し、その時点で上記ワンウェイクラッチが係合状態になってしまうことになる。つまり、解放途中にあるクラッチによるトルク伝達とワンウェイクラッチが係合状態になることによるトルク伝達とが同時に発生することになり、このワンウェイクラッチの係合に伴うショック（以下、これを「ワンウェイクラッチの同期ショック」と呼ぶ）が生じてしまうことになる。
【００１３】
このようなワンウェイクラッチの同期ショックを回避するためには、上記多重変速の実行時、上記クラッチの解放動作が完了するまでブリッピング制御を禁止してワンウェイクラッチの係合を遅延させる必要があった。つまり、多重変速の開始（上記第２の目標変速段への変速指示）と同時にブリッピング制御を禁止する必要があった。
【００１４】
ところが、このような状況では、上記クラッチの解放動作が完了するまでの期間、つまり、上記ブリッピング制御を禁止している期間中にエンジン回転数が大幅に低下してしまい、それに伴って、自動変速機の入力軸回転数（タービン回転数）も変速後の同期回転数（第２の目標変速段の同期回転数）に対して大きく低下した状態となってしまう。その結果、クラッチの解放動作の完了後にブリッピング制御を実行してシフトダウン動作を開始させ、タービン回転数を第２の目標変速段の同期回転数に上昇させるまでの時間（上述の場合には２速段（２ｎｄ）への変速が完了するまでの時間）を長く要することになってしまい、変速の応答性の面で未だ改良の余地があった。
【００１５】
本発明は、かかる点に鑑みてなされたものであり、その目的とするところは、変速時にブリッピング制御を行う変速機を備えた車両に対し、多重変速の実行時における変速の応答性を高めることが可能な車両の制御装置を提供することにある。
【課題を解決するための手段】
【００１６】
−課題の解決原理−
上記の目的を達成するために講じられた本発明の解決原理は、第１の目標変速段への変速動作途中で第２の目標変速段への変速指示がなされる多重変速の実行時、解放される摩擦係合要素の解放完了までの期間、ワンウェイクラッチの係合が行われないように自動変速機の入力軸回転数を、第１の目標変速段の同期回転数以下であって、この同期回転数に近付けるように内燃機関を制御するようにしている。
【００１７】
−解決手段−
具体的に、本発明は、内燃機関の回転数を調整可能な回転数調整機構と、摩擦係合要素及びワンウェイクラッチを選択的に係合させることにより所定の変速段を成立させ上記内燃機関からの駆動力を変速して出力する変速機とを備え、変速機のシフトダウン動作が行われる際に、内燃機関の回転数を上昇させるブリッピング制御を行うようにした車両の制御装置を前提とする。この車両の制御装置に対し、上記変速機の第１の目標変速段への変速動作途中で第２の目標変速段への変速指示がなされる多重変速時、上記第２の目標変速段への変速に伴って解放動作を行う摩擦係合要素の解放が完了するまで、変速機の入力軸回転数を、上記第１の目標変速段の同期回転数未満に維持しながら、この同期回転数に近付けるように上記回転数調整機構を制御する回転数調整手段を備えさせている。
【００１８】
この特定事項により、多重変速時において、摩擦係合要素の解放が完了した後にあっては、変速機の入力軸回転数が第１の目標変速段の同期回転数近傍まで上昇しているので、この入力軸回転数を第２の目標変速段の同期回転数に上昇させるまでの時間を短縮することができ、多重変速の実行時における変速の応答性を高めることが可能である。
【００１９】
上記回転数調整機構として具体的には、内燃機関の吸入空気量を調整するスロットルバルブが挙げられる。この場合、上記回転数調整手段は、変速機の多重変速時、第２の目標変速段への変速に伴って解放動作を行う摩擦係合要素の解放が完了するまで、変速機の入力軸回転数を、上記第１の目標変速段の同期回転数に近付けるようにスロットルバルブの開度を制御する構成となる。
【００２０】
また、上記回転数調整機構は、変速機の入力軸回転数と上記第１の目標変速段の同期回転数との乖離量が所定量に達するまで内燃機関の回転数が上昇するように回転数調整機構を作動させていき、この変速機の入力軸回転数と上記第１の目標変速段の同期回転数との乖離量が所定量に達すると回転数調整機構の作動状態を維持する構成となっている。
【発明の効果】
【００２１】
本発明では、第１の目標変速段への変速動作途中で第２の目標変速段への変速指示がなされる多重変速の実行時、解放される摩擦係合要素の解放完了までの期間、ワンウェイクラッチの係合が行われないように自動変速機の入力軸回転数を、第１の目標変速段の同期回転数以下であって、この同期回転数に近付けるように内燃機関を制御するようにしている。このため、摩擦係合要素の解放が完了した後に、上記入力軸回転数を第２の目標変速段の同期回転数に上昇させるまでの時間を短縮することができ、多重変速の実行時における変速の応答性を高めることが可能である。
【図面の簡単な説明】
【００２２】
【図１】実施形態に係る車両のパワートレーンを示す概略構成図である。
【図２】自動変速機における変速機構部の一例を示すスケルトン図である。
【図３】自動変速機における各クラッチ、各ブレーキ及び各ワンウェイクラッチの変速段毎の係合状態を示す図である。
【図４】エンジン制御装置及びトランスミッション制御装置を含む制御ブロックを示す概略構成図である。
【図５】シフト装置のシフトゲートを示す図である。
【図６】変速制御に用いる変速マップを示す図である。
【図７】多重変速動作の手順を示すフローチャート図である。
【図８】従来の多重変速実行時における変速段、スロットル開度要求、タービン回転数の変化の一例を示すタイミングチャート図である。
【図９】実施形態に係る多重変速実行時における変速段、スロットル開度要求、タービン回転数の変化の一例を示すタイミングチャート図である。
【発明を実施するための形態】
【００２３】
以下、本発明の実施の形態を図面に基づいて説明する。本実施形態では、自動変速機を搭載したＦＲ（フロントエンジン・リヤドライブ）車両に対して本発明を適用した場合について説明する。また、本実施形態において特徴とする制御である多重変速時の制御動作について説明する前に、車両のパワートレーン（車両用駆動装置）及び自動変速機の基本動作等について説明する。
【００２４】
図１は、本実施形態に係る車両のパワートレーンを示す概略構成図、図２は、図１の自動変速機２における変速機構部３０の一例を示すスケルトン図、図３は、図２の変速機構部３０における変速段毎の各クラッチ、各ブレーキ及び各ワンウェイクラッチの係合表である。
【００２５】
図１中において、１はエンジン（内燃機関）、２は自動変速機、３はエンジン制御装置（エンジンＥＣＵ）、４はトランスミッション制御装置（変速機ＥＣＵ）である。
【００２６】
−エンジン１−
エンジン１は、外部から吸入する空気とインジェクタ（燃料噴射弁）５から噴射される燃料とを適宜の比率で混合した混合気を、点火プラグ１２の点火によって燃焼させることにより、回転動力を発生する内燃機関である。吸入空気量は、スロットルバルブ６（回転数調整機構）によって調節される。このスロットルバルブ６は、電動式のアクチュエータ（スロットルモータ等）７により駆動されるもので、アクセルペダル１１の踏み込み量や制御上の条件に基づきアクチュエータ７を駆動することにより開度調節される。インジェクタ５、アクチュエータ７及び点火プラグ１２は、エンジン制御装置３により制御される。
【００２７】
−自動変速機２−
自動変速機２は、エンジン１から入力軸９に入力される回転動力を変速し、出力軸１０を介して駆動輪に出力するもので、主として、トルクコンバータ（流体継手）２０、変速機構部３０、油圧制御装置４０等を含んで構成されている。
【００２８】
図２に示すように、トルクコンバータ２０は、エンジン１に回転連結されるもので、ポンプインペラ２１、タービンランナ２２、ステータ２３、ワンウェイクラッチ２４、ステータシャフト２５、ロックアップクラッチ２６を含んで構成されている。
【００２９】
上記ロックアップクラッチ２６は、トルクコンバータ２０のポンプインペラ２１（入力側）とタービンランナ２２（出力側）とを直結可能とするものであり、必要に応じて、ポンプインペラ２１とタービンランナ２２とを直結する係合状態と、ポンプインペラ２１とタービンランナ２２とを切り離す解放状態と、これら係合状態と解放状態との中間の半係合状態（スリップ状態）との間で切り換えられる。
【００３０】
このロックアップクラッチ２６の係合力制御は、ロックアップコントロールバルブ２７でポンプインペラ２１とタービンランナ２２とに対する作動油圧をコントロールすることによって行われる。
【００３１】
変速機構部３０は、図２に示すように、主として、第１プラネタリ３１、第２プラネタリ３２、第３プラネタリ３３、クラッチＣ１〜Ｃ４、ブレーキＢ１〜Ｂ４、ワンウェイクラッチＦ０〜Ｆ３等を含んで構成されており、前進６段、後進１段の変速が可能になっている。
【００３２】
第１プラネタリ３１は、ダブルピニオンタイプと呼ばれる歯車式遊星機構とされており、サンギアＳ１と、リングギアＲ１と、複数個のインナーピニオンギアＰ１Ａと、複数個のアウターピニオンギアＰ１Ｂと、キャリアＣＡ１とを含む構成である。
【００３３】
サンギアＳ１は、クラッチＣ３を介して入力軸９に選択的に連結される。このサンギアＳ１は、ワンウェイクラッチＦ２及びブレーキＢ３を介してハウジングに選択的に連結され、逆方向（入力軸９の回転と反対方向）の回転が阻止される。キャリアＣＡ１は、ブレーキＢ１を介してハウジングに選択的に連結されるとともに、そのブレーキＢ１と並列に設けられたワンウェイクラッチＦ１により、常に逆方向の回転が阻止される。リングギアＲ１は、第２プラネタリ３２のリングギアＲ２と一体的に連結されており、ブレーキＢ２を介してハウジングに選択的に連結される。
【００３４】
第２プラネタリ３２は、シングルピニオンタイプと呼ばれる歯車式遊星機構とされており、サンギアＳ２と、リングギアＲ２と、複数個のピニオンギアＰ２と、キャリアＣＡ２とを含む構成である。
【００３５】
サンギアＳ２は、第３プラネタリ３３のサンギアＳ３と一体的に連結されており、クラッチＣ４を介して入力軸９に選択的に連結される。このサンギアＳ２は、ワンウェイクラッチＦ０及びクラッチＣ１を介して入力軸９に選択的に連結され、その入力軸９に対して相対的に逆方向へ回転することが阻止される。キャリアＣＡ２は、第３プラネタリ３３のリングギアＲ３と一体的に連結されており、クラッチＣ２を介して入力軸９に選択的に連結されるとともに、ブレーキＢ４を介してハウジングに選択的に連結される。このキャリアＣＡ２は、ブレーキＢ４と並列に設けられたワンウェイクラッチＦ３により、常に逆方向の回転が阻止される。
【００３６】
第３プラネタリ３３は、シングルピニオンタイプと呼ばれる歯車式遊星機構とされており、サンギアＳ３と、リングギアＲ３と、複数個のピニオンギアＰ３と、キャリアＣＡ３とを含む構成である。キャリアＣＡ３は、出力軸１０に一体的に連結されている。
【００３７】
クラッチＣ１〜Ｃ４及びブレーキＢ１〜Ｂ４は、オイルの粘性を利用した湿式多板摩擦係合装置（摩擦係合要素）により構成されている。
【００３８】
油圧制御装置４０は、変速機構部３０におけるクラッチＣ１〜Ｃ４ならびにブレーキＢ１〜Ｂ４を個別に係合、解放させることにより適宜の変速段（前進１〜６速段、後進段）を成立させるものである。この油圧制御装置４０の基本構成は公知であるので、ここでは詳細な図示や説明を割愛する。
【００３９】
ここで、上述した変速機構部３０における各変速段を成立させる条件について、図３を用いて説明する。
【００４０】
図３は、変速機構部３０の変速段毎でのクラッチＣ１〜Ｃ４、ブレーキＢ１〜Ｂ４及びワンウェイクラッチＦ０〜Ｆ３の係合状態または解放状態を示す係合表である。この係合表において、○印は「係合」、×印は「解放」、◎印は「エンジンブレーキ時に係合」、△印は「動力伝達を行わない係合」を示す。
【００４１】
なお、クラッチＣ１は、前進クラッチ（入力クラッチ）と呼ばれ、図３の係合表に示すように、パーキングポジション（Ｐ）、リバースポジション（Ｒ）、ニュートラルポジション（Ｎ）以外であって車両が前進するための変速段を成立させる際に係合状態で使用される。
【００４２】
また、本実施形態における変速機構部３０では、クラッチＣ３が、３速段（３ｒｄ）で係合され且つ２速段（２ｎｄ）で解放されるようになっている。また、ワンウェイクラッチＦ１が、４速段（４ｔｈ）で解放され且つ３速段（３ｒｄ）で係合される（タービン回転数ＮＴが３速段の同期回転数に達した際に係合される）ようになっている。
【００４３】
−エンジン制御装置３、トランスミッション制御装置４−
エンジン制御装置３は、走行状況に応じてエンジン１へ供給する混合気や燃焼タイミングを制御することによりエンジン１を駆動するものである。
【００４４】
トランスミッション制御装置４は、油圧制御装置４０を制御することにより変速機構部３０における適宜の変速段つまり動力伝達経路を成立させるものである。
【００４５】
また、これらエンジン制御装置３とトランスミッション制御装置４とは、エンジン制御やトランスミッション制御に必要な情報を互いに送受可能に接続されている。
【００４６】
エンジン制御装置３及びトランスミッション制御装置４は、図示していないが、共に一般的に公知のＥＣＵ（Ｅｌｅｃｔｒｏｎｉｃ  Ｃｏｎｔｒｏｌ  Ｕｎｉｔ）とされており、それぞれ、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びバックアップＲＡＭなどを備えている。
【００４７】
ＲＯＭは、各種制御プログラムや、それら各種制御プログラムを実行する際に参照されるマップ等が記憶されている。ＣＰＵは、ＲＯＭに記憶された各種制御プログラムやマップに基づいて演算処理を実行する。ＲＡＭは、ＣＰＵでの演算結果や各センサから入力されたデータ等を一時的に記憶するメモリであり、バックアップＲＡＭは、エンジン１の停止時にその保存すべきデータ等を記憶する不揮発性のメモリである。
【００４８】
図４に示すように、エンジン制御装置３には、上記エンジン１のクランクシャフトの回転数を検出するエンジン回転数センサ１０１、上記スロットルバルブ６の開度を検出するスロットル開度センサ１０２、吸入空気量を検出するエアフローメータ１０３などのエンジン１の運転状態を検出する各種センサが接続されており、その各センサの信号が入力される。また、このエンジン制御装置３は、スロットルバルブ６のアクチュエータ（スロットルモータ）７、インジェクタ５の燃料噴射量や燃料噴射タイミング、点火プラグ１２の点火タイミング、吸排気バルブの開閉タイミングの位相を変化させるためのＶＶＴ（Ｖａｒｉａｂｌｅ  Ｖａｌｖｅ  Ｔｉｍｉｎｇ）機構１３などのエンジン１の各部を制御する。
【００４９】
また、このエンジン制御装置３のＲＯＭには、エンジン１の出力トルクを推定するためのトルク推定マップが記憶されている。このトルク推定マップにより、上記エンジン回転数センサ１０１によって検出されるエンジン回転数、スロットル開度センサ１０２によって検出されるスロットル開度、エアフローメータ１０３によって検出される吸入空気量に基づいて、現在のエンジン１の出力トルクを推定可能となっている。
【００５０】
トランスミッション制御装置４には、上記入力軸９の回転数（タービン回転数ＮＴ）を検出する入力軸回転数センサ１１０、出力軸１０の回転数を検出する出力軸回転数センサ１１１、ドライバにより操作されるアクセルペダル１１の開度を検出するアクセル開度センサ１１２、自動変速機２のシフトレバー位置を検出するシフトポジションセンサ１１３、駆動輪の速度（車輪速度）を検出する車輪速センサ１１４などが接続されている。尚、この車輪速センサ１１４は、各車輪に備えられており、ＡＢＳ（Ａｎｔｉｌｏｃｋ  Ｂｒａｋｅ  Ｓｙｓｔｅｍ）制御において路面状況を検知するためのものとして使用されている。
【００５１】
また、このトランスミッション制御装置４は、上記ロックアップコントロールバルブ２７にロックアップクラッチ制御信号を出力する。このロックアップクラッチ制御信号に基づいてロックアップコントロールバルブ２７がロックアップクラッチ２６の係合圧を制御し、上述したロックアップクラッチ２６の係合状態（トルコン状態または完全ロックアップ状態とも呼ばれる）、解放状態（完全スリップ状態とも呼ばれる）、半係合状態（スリップ状態：フレックスロックアップ状態とも呼ばれる）が切り換えられるようになっている。
【００５２】
さらに、トランスミッション制御装置４は、自動変速機２の油圧制御装置４０にソレノイド制御信号（油圧指令信号）を出力する。このソレノイド制御信号に基づいて油圧制御装置４０の油圧制御回路に備えられているリニアソレノイドバルブやオンオフソレノイドバルブなどが制御され、所定の変速段（第１変速段〜第６変速段、後退変速段など）を達成するように、自動変速機２の各クラッチＣ１〜Ｃ４、各ブレーキＢ１〜Ｂ４などが所定の状態に係合または解放される。
【００５３】
−シフト装置５０及びパドルスイッチ６１，６２−
本実施形態に係る車両の運転席の近傍にはシフト装置５０が配置されている（図１参照）。このシフト装置５０にはシフトレバー（セレクトレバーとも呼ばれる）５１が変位操作可能に設けられている。また、このシフト装置５０には、図５に示すように、パーキング（Ｐ）位置、リバース（Ｒ）位置、ニュートラル（Ｎ）位置、ドライブ（Ｄ）位置、及び、シーケンシャル（Ｓ）位置を有するシフトゲートが形成されており、ドライバが所望のレンジ位置へシフトレバー５１を変位させることが可能となっている。これらパーキング（Ｐ）位置、リバース（Ｒ）位置、ニュートラル（Ｎ）位置、ドライブ（Ｄ）位置、シーケンシャル（Ｓ）位置（下記の「＋」位置及び「−」位置も含む）の各レンジ位置は、上記シフトポジションセンサ１１３によって検出される。
【００５４】
上記シフトレバー５１が「ドライブ（Ｄ）位置」に操作されている状態では、自動変速機２は「自動変速モード」とされ、後述する変速マップに従って変速段が選定されて自動変速動作が行われる。
【００５５】
一方、上記シフトレバー５１が「シーケンシャル（Ｓ）位置」に操作されている状態では、自動変速機２は「手動変速モード」とされる。このＳ位置の前後には「＋」位置及び「−」位置が設けられている。「＋」位置は、マニュアルアップシフトの際にシフトレバー５１が操作される位置であり、「−」位置は、マニュアルダウンシフトの際にシフトレバー５１が操作される位置である。そして、シフトレバー５１がＳ位置にあるときに、シフトレバー５１がＳ位置を中立位置として「＋」位置または「−」位置に操作されると、自動変速機２の変速段がアップまたはダウンされる。具体的には、「＋」位置への１回操作ごとに変速段が１段ずつアップ（例えば１ｓｔ→２ｎｄ→…→６ｔｈ）される。一方、「−」位置への１回操作ごとにギヤ段が１段ずつダウン（例えば６ｔｈ→５ｔｈ→…→１ｓｔ）される。
【００５６】
また、図１に示すように、本実施形態に係る車両の運転席の前方に配設されるステアリングホイール６０には、パドルスイッチ６１，６２が設けられている。これらパドルスイッチ６１，６２はレバー形状とされ、変速段のアップシフトを要求する指令信号を出力するためのアップシフト用パドルスイッチ６１と、変速段のダウンシフトを要求する指令信号を出力するためのダウンシフト用パドルスイッチ６２とを備えている。上記アップシフト用パドルスイッチ６１には「＋」の記号が、上記ダウンシフト用パドルスイッチ６２には「−」の記号がそれぞれ付されている。
【００５７】
そして、上記シフトレバー５１が「シーケンシャル（Ｓ）位置」に操作されて「手動変速モード」となっている場合には、アップシフト用パドルスイッチ６１が操作（手前に引く操作）されると、１回操作ごとに変速段が１段ずつアップ（例えば１ｓｔ→２ｎｄ→…→６ｔｈ）される。一方、ダウンシフト用パドルスイッチ６２が操作（手前に引く操作）されると、１回操作ごとに変速段が１段ずつダウン（例えば６ｔｈ→５ｔｈ→…→１ｓｔ）される。
【００５８】
また、本実施形態のものでは、所謂、Ｄレンジパドルアクティブ制御も可能となっている。つまり、上記シフトレバー５１が「ドライブ（Ｄ）位置」に操作されて自動変速機２が「自動変速モード」となっている状態であっても、パドルスイッチ６１，６２の操作による手動変速動作が可能となっている。具体的には、このようにシフトレバー５１が「ドライブ（Ｄ）位置」に操作されている状態では「自動変速モード」とされ、基本的には、後述する変速マップに従って変速段が選定されて自動変速動作が行われるが、この状態で、アップシフト用パドルスイッチ６１が操作されると変速段がアップされ、ダウンシフト用パドルスイッチ６２が操作されると変速段がダウンされるようになっている。また、その後に、パドルスイッチ６１，６２が操作されない状態が所定時間継続したり、アクセルペダル１１の踏み込み量が大きくなったりして「自動変速モード」への復帰条件が成立すると、変速マップに従った自動変速動作に復帰するようになっている。
【００５９】
−変速マップ−
上記「自動変速モード」における自動変速機２の変速制御は、例えば図６に示すような変速マップ（変速条件）に従って行われる。この変速マップは、車速Ｖ及びアクセル開度θTHをパラメータとし、それら車速Ｖ及びアクセル開度θTHに応じて、適正な変速段を求めるための複数の領域が設定されたマップであって、上記トランスミッション制御装置４のＲＯＭ内に記憶されている。変速マップの各領域は複数の変速線（変速段の切り換えライン）によって区画されている。尚、図６に示す変速マップにおいて、シフトアップ線（シフトアップを実行するための変速線）を実線で示し、シフトダウン線（シフトダウンを実行するための変速線）を破線で示している。また、シフトアップ及びシフトダウンの各切り換え方向を図中に数字と矢印とを用いて示している。
【００６０】
−自動変速機２の変速制御動作−
次に、上述の如く構成された自動変速機２の基本的な変速制御動作について説明する。
【００６１】
先ず、シフトレバー５１が「ドライブ（Ｄ）位置」に操作されている「自動変速モード」について説明する。
【００６２】
トランスミッション制御装置４は、上記出力軸回転数センサ１１１の出力信号から車速Ｖを算出するとともに、アクセル開度センサ１１２の出力信号からアクセル開度θTHを算出し、それら車速Ｖ及びアクセル開度θTHに基づいて図６の変速マップを参照して目標変速段を算出する。さらに、上記入力軸回転数センサ１１０及び出力軸回転数センサ１１１の出力信号から得られる回転数の比（出力回転数／入力回転数）を求めて現在の変速段を判定し、その現在変速段と目標変速段とを比較して変速操作が必要であるか否かを判定する。
【００６３】
その判定結果により、変速の必要がない場合（現在変速段と目標変速段とが同じで、変速段が適切に設定されている場合）には、現在変速段を維持するソレノイド制御信号（油圧指令信号）を自動変速機２の油圧制御装置４０に出力する。
【００６４】
一方、現在変速段と目標変速段とが異なる場合には変速制御を行う。例えば、自動変速機２の変速段が「４速段」の状態で走行している状況から、車両の走行状態が変化して、例えば図６に示す点Ａから点Ｂに変化した場合、シフトアップ変速線［４→５］を跨ぐ変化となるので、変速マップから算出される目標変速段が「５速段」となり、その５速段を設定するソレノイド制御信号（油圧指令信号）を自動変速機２の油圧制御装置４０に出力して、４速段から５速段への変速（４→５アップ変速）を行う。
【００６５】
また、例えば、自動変速機２の変速段が「６速段」の状態で走行している状況から、車両の走行状態が変化して、例えば図６に示す点Ｃから点Ｄに変化した場合、シフトダウン変速線［６→５］を跨ぐ変化となるので、変速マップから算出される目標変速段が「５速段」となり、その５速段を設定するソレノイド制御信号（油圧指令信号）を自動変速機２の油圧制御装置４０に出力して、６速段から５速段への変速（６→５ダウン変速）を行う。尚、この６速段から５速段への変速動作は、クラッチＣ３を解放状態から係合状態に移行させると同時に、ブレーキＢ２を係合状態から解放状態に移行させる、所謂クラッチツークラッチ変速となっている。
【００６６】
一方、このようにシフトレバー５１が「ドライブ（Ｄ）位置」に操作されている「自動変速モード」であっても、ドライバがパドルスイッチ６１，６２を操作した場合には、その操作に従って変速動作（手動変速動作）が行われる。つまり、この「自動変速モード」時において、アップシフト用パドルスイッチ６１が操作されると、アップシフトのためのソレノイド制御信号（油圧指令信号）が自動変速機２の油圧制御装置４０に出力され変速段がアップされる。一方、ダウンシフト用パドルスイッチ６２が操作されると、ダウンシフトのためのソレノイド制御信号（油圧指令信号）が自動変速機２の油圧制御装置４０に出力され変速段がダウンされることになる。
【００６７】
次に、シフトレバー５１が「シーケンシャル（Ｓ）位置」に操作されている「手動変速モード」について説明する。
【００６８】
上述した如く、この「手動変速モード」では、シフトレバー５１の操作及びパドルスイッチ６１，６２の操作によって変速動作が行われる。つまり、シフトレバー５１が、Ｓ位置を中立位置として、「＋」位置へ１回操作されるごとにアップシフトのためのソレノイド制御信号（油圧指令信号）が自動変速機２の油圧制御装置４０に出力されて変速段が１段ずつアップされる。一方、「−」位置へ１回操作されるごとにダウンシフトのためのソレノイド制御信号（油圧指令信号）が自動変速機２の油圧制御装置４０に出力され変速段が１段ずつダウンされる。また、アップシフト用パドルスイッチ６１が操作されると、１回操作ごとに変速段が１段ずつアップされ、ダウンシフト用パドルスイッチ６２が操作されると、１回操作ごとに変速段が１段ずつダウンされる。
【００６９】
−ブリッピング制御−
本実施形態に係る自動変速機２は、ダウンシフト時、例えば上記手動変速モード時において、シフトレバー５１が「−」位置へ操作されることでシフトダウン動作が行われる際や、上記ダウンシフト用パドルスイッチ６２が操作されることでシフトダウン動作が行われる際にブリッピング制御が実行される。
【００７０】
具体的には、シフトダウン時に、一時的にスロットル開度を増大させると共にインジェクタ５からの燃料噴射量を増量させることでエンジン回転数を上昇させる。これに伴い、自動変速機２の入力軸回転数（タービン回転数ＮＴ）を、目標としている変速段（変速後の変速段）の同期回転数に向けて上昇させ、上記摩擦係合要素（クラッチやブレーキ）の係合動作を円滑に行って変速ショックを軽減するようにしている。
【００７１】
例えば４速段（４ｔｈ）での走行中に運転者のシフトレバー操作等によって３速段（３ｒｄ）への変速指示が行われた場合、ブリッピング制御を実行することでエンジン回転数を上昇させ、自動変速機２のタービン回転数ＮＴを３速段（３ｒｄ）の同期回転数に近付け、その後、この３速段（３ｒｄ）で係合すべき摩擦係合要素（本実施形態の場合にはブレーキＢ１）を係合させることにより変速ショックの軽減を図るようにしている。また、この場合、タービン回転数ＮＴが３速段（３ｒｄ）の同期回転数に達した時点でワンウェイクラッチＦ１も係合されることになる。
【００７２】
尚、このブリッピング制御の実行条件としては、上記エンジン回転数センサ１０１によって検出されたエンジン回転数が所定値（例えば１０００ｒｐｍ）以上であり且つドライバがアクセルペダルを踏み込んでいない（アクセル開度が非常に小さい状態（例えば開度５％以下）を含む）状態においてシフトダウン要求がなされた場合である。
【００７３】
−多重変速動作−
次に、本実施形態の特徴とする動作である多重変速時（ある変速段（第１の目標変速段）への変速動作の途中で、その変速段とは異なる変速段（第２の目標変速段）への変速要求がなされた場合の変速動作時）の制御動作について説明する。
【００７４】
ここでは、自動変速機２が「手動変速モード」とされており（シフトレバー５１が「シーケンシャル（Ｓ）位置」にあり）、上記エンジン１の被駆動状態で、シフトレバー５１の「−」位置への操作、または、ダウンシフト用パドルスイッチ６２の操作によってシフトダウンが行われる場合について説明する。尚、これに限らず、自動変速機２が「自動変速モード」とされている場合において、アクセルオフ状態でシフトダウンされる際（所謂コーストダウン変速される際や、上記Ｄレンジパドルアクティブ制御によってシフトダウンされる際）に同様の制御動作を行うようにしてもよい。
【００７５】
本実施形態における多重変速動作の概略は次のとおりである。多重変速要求がなされた場合（上記第２の目標変速段への変速指示がなされた場合）に上記ブリッピング制御によるブリッピングを一時的に停止し、タービン回転数ＮＴの上昇を抑える。これにより、タービン回転数ＮＴが第１の目標変速段の同期回転数まで上昇してしまうことを回避し、この第１の目標変速段の成立時に係合されるワンウェイクラッチが係合されてしまうことを阻止する。
【００７６】
また、上記第２の目標変速段への変速指示がなされたことに伴って、第１の目標変速段の成立時に係合し且つ第２の目標変速段の成立時に解放される摩擦係合要素の解放動作が開始されるが、この摩擦係合要素が完全に解放されるまでの期間、上記タービン回転数ＮＴをモニタし、このタービン回転数ＮＴが上記第１の目標変速段の同期回転数に達することのない範囲で、できるだけ高い回転数になるようにエンジン１の吸入空気量を調整する（以下、この動作を「タービン回転数コントロール用ブリッピング」と呼ぶ：本発明でいう回転数調整手段による回転数調整機構の制御動作）。そして、この第２の目標変速段の成立時に解放される摩擦係合要素が完全に解放された後に、第２の目標変速段を成立させるためのブリッピング制御を実行し、この第２の目標変速段への変速動作（第２の目標変速段の成立時に係合される摩擦係合要素の係合動作）を開始させる。
【００７７】
次に、具体的な多重変速動作について図７のフローチャートを用いて説明する。以下の説明では、「４速段（４ｔｈ）→３速段（３ｒｄ）→２速段（２ｎｄ）」の多重変速時を例に挙げて説明する。つまり、４速段（４ｔｈ）での走行中に運転者のシフトレバー操作等によって３速段（３ｒｄ）への変速指示が行われた後、その３速段（３ｒｄ）への変速動作の途中で（３速段の成立前に）、再び運転者のシフトレバー操作等が行われて２速段（２ｎｄ）への変速指示が行われた場合について説明する。
【００７８】
尚、この図７に示すルーチンは、自動変速機２の変速動作中（上記の場合は３速段（３ｒｄ）への変速動作中）に他の変速段（上記の場合は２速段（２ｎｄ））の変速指示がなされた場合の割り込み制御として実行される。つまり、多重変速判定がなされた場合に、この図７に示すルーチンが開始されることになる。また、このルーチンの開始時点では、３速段（３ｒｄ）への変速動作中であるので、この３速段（３ｒｄ）への変速動作に際してのブリッピング制御が行われている。また、２速段（２ｎｄ）の変速指示がなされているので、この２速段（２ｎｄ）を成立させるための摩擦係合要素の係合動作及び解放動作が開始されている。具体的には、係合状態にあったクラッチＣ３の解放動作等が開始されている。
【００７９】
先ず、ステップＳＴ１において、現在実行されているブリッピングを停止する。つまり、第１の目標変速段（３速段）への変速動作実行に際して行われているブリッピングを停止する。このブリッピングの停止動作により、エンジン回転数が低下していくことになり、それに伴ってタービン回転数ＮＴも低下していき、このタービン回転数ＮＴが第１の目標変速段（３速段）の同期回転数に達することがない。つまり、上記ワンウェイクラッチＦ１が係合状態になることがない。
【００８０】
その後、ステップＳＴ２に移り、上記ＲＡＭに予め設けられたスロットル開度維持フラグが「１」にセットされているか否かを判定する。このスロットル開度維持フラグは、上記タービン回転数コントロール用ブリッピング動作においてスロットル開度を維持するように判定された際に「１」にセットされるフラグである。多重変速動作の開始時には、タービン回転数コントロール用ブリッピング動作は未だ開始されていないためスロットル開度維持フラグは「０」にリセットされており、ステップＳＴ２ではＮＯ判定される。
【００８１】
ステップＳＴ２でＮＯ判定されると、ステップＳＴ３に移り、上記入力軸回転数センサ１１０の出力信号からタービン回転数ＮＴを検出する。そして、ステップＳＴ４に移り、この検出されたタービン回転数ＮＴが、第１の目標変速段（３速段）の同期回転数ＮＴＳ１よりも所定量ａだけ低い規制回転数（ＮＴＳ１−ａ）未満であるか否かを判定する。この所定量ａは実験やシミュレーション等によって適宜設定される値であり、例えば５０ｒｐｍに設定される。この値はこれに限定されるものではない。
【００８２】
タービン回転数ＮＴが規制回転数（ＮＴＳ１−ａ）未満であり、ステップＳＴ４でＹＥＳ判定されると、ステップＳＴ５に移り、スロットル開度ＴＡを所定開度ｂだけ大きくするように補正する。この所定開度ｂも実験やシミュレーション等によって適宜設定される値であり、例えば５％（スロットルバルブ６の全閉から全開までの回動角度を１００％とした場合の５％）だけスロットル開度を大きく設定する。この値もこれに限定されるものではない。
【００８３】
その後、ステップＳＴ６に移り、上述の如く解放動作が開始されていたクラッチＣ３の解放が完了したか否かを判定する。この判定は、クラッチＣ３の解放が完了した場合、タービン回転数ＮＴが、第１の目標変速段（３速段）の同期回転数（ＮＴＳ１）に達しても上記ワンウェイクラッチＦ１の同期ショック（解放途中にあるクラッチＣ３によるトルク伝達とワンウェイクラッチＦ１が係合状態になることによるトルク伝達とが同時に発生することに伴うショック）は生じない状態であり、第２の目標変速段（２速段）を成立させるためのブリッピング制御の実行が可能となるので、このブリッピング制御の実行許可を判定するものである。尚、クラッチＣ３の解放が完了したか否かの具体的な判定動作としては、上記２速段（２ｎｄ）の変速指示がなされてからの経過時間（ディレータイマでカウントされる時間）が所定時間を経過した時点でクラッチＣ３の解放が完了したと判定するようにしている。
【００８４】
未だクラッチＣ３の解放が完了しておらず、ステップＳＴ６でＮＯ判定された場合には、ステップＳＴ２に戻る。スロットル開度維持フラグは未だ「０」のままであるので、ステップＳＴ２ではＮＯ判定される。そして、上述したステップＳＴ３でのタービン回転数ＮＴの検出動作、ステップＳＴ４での回転数比較動作、ステップＳＴ５でのスロットル開度の補正動作が、ステップＳＴ４でＮＯ判定されるか、または、ステップＳＴ６でＹＥＳ判定されるまで実行される。尚、ステップＳＴ４でＮＯ判定されるまでにクラッチＣ３の解放が完了し、ステップＳＴ６でＹＥＳ判定された場合には、ステップＳＴ９に移って第２の目標変速段（２速段）を成立させるためのブリッピング制御の実行を開始させる。
【００８５】
クラッチＣ３の解放が完了するまでにタービン回転数ＮＴが規制回転数（ＮＴＳ１−ａ）に達し、上記ステップＳＴ４でＮＯ判定された場合には、ステップＳＴ７に移り、現在のスロットル開度ＴＡを維持し、ステップＳＴ８でスロットル開度維持フラグを「１」にセットする。この場合、タービン回転数ＮＴは、規制回転数（ＮＴＳ１−ａ）に近接した状態で維持されることになる。
【００８６】
このようにしてスロットル開度維持フラグが「１」にセットされると、ステップＳＴ２ではＹＥＳ判定されることになるので、ステップＳＴ６でＹＥＳ判定されるまで、つまり、クラッチＣ３の解放が完了するまで、ステップＳＴ２とステップＳＴ６との動作を繰り返す。つまり、上記タービン回転数ＮＴの検出動作や、それに伴うスロットル開度ＴＡの補正動作を行うことなく、スロットル開度ＴＡを維持した状態でクラッチＣ３の解放が完了するのを待つ。
【００８７】
そして、クラッチＣ３の解放が完了し、ステップＳＴ６でＹＥＳ判定された場合には、ステップＳＴ９に移り、第２の目標変速段（２速段）を成立させるためのブリッピング制御を開始させる。つまり、上記エンジン制御装置３からスロットルバルブ６のアクチュエータ７に対して開指令信号を出力すると共に、インジェクタ５に対して燃料噴射指令信号を出力する。これにより、スロットルバルブ６の開度を大きく設定すると共に、吸気行程を迎えている気筒に対してインジェクタ５から順次燃料噴射及びその混合気に対する点火プラグ１２による点火を実行する。これにより、燃焼室内での燃焼に伴ってエンジン回転数が上昇することになる。このエンジン回転数の上昇に伴いタービン回転数ＮＴも第２の目標変速段（２速段）の同期回転数に向けて上昇することになる。ここでのスロットルバルブ６の開度、インジェクタ５からの燃料噴射量の制御、点火プラグ１２の制御としては、シフトダウン動作後の変速段（上記第２の目標変速段）における同期回転数にタービン回転数ＮＴが迅速に達するように行われる。
【００８８】
このブリッピング制御の実行に伴い、ステップＳＴ１０で第２の目標変速段（２速段）への変速動作を開始する。具体的にはブレーキＢ２の係合動作を開始する。そして、ステップＳＴ１１で第２の目標変速段（２速段）への変速が完了したか否かを判定し（入力軸回転数センサ１１０及び出力軸回転数センサ１１１の出力信号から得られる回転数の比（出力回転数／入力回転数）より第２の目標変速段（２速段）への変速が完了したか否かを判定し）、変速が完了すればステップＳＴ１２に移って上記スロットル開度維持フラグを「０」にリセットして多重変速動作を終了する。
【００８９】
図８は、従来の多重変速実行時における変速段、スロットル開度要求、タービン回転数の変化の一例を示すタイミングチャート図である。また、図９は、実施形態に係る多重変速実行時における変速段、スロットル開度要求、タービン回転数の変化の一例を示すタイミングチャート図である。
【００９０】
図８に示すように、従来の多重変速動作では、上記ワンウェイクラッチの同期ショックを回避するために、２速段（２ｎｄ）への変速指示がなされてからクラッチの解放動作が完了するまでの期間（図８における期間ｔ１）ブリッピング制御を禁止していた。つまり、多重変速の開始（２速段への変速指示）と同時にブリッピング制御を禁止し、その後、クラッチの解放動作が完了するまでスロットル開度を「０」に設定していた。このため、クラッチの解放動作が完了するまでの期間、つまり、上記ブリッピング制御を禁止している期間中にタービン回転数が、変速後の同期回転数（２速段の同期回転数）に対して大きく低下した状態となってしまい（４速段の同期回転数まで低下した状態となってしまい）、クラッチの解放動作の完了後にブリッピング制御を実行してシフトダウン動作に移行させたとしても、タービン回転数を２速段の同期回転数まで上昇させる時間を長く要し、この２速段の成立までの時間が遅延していた。図８における時間ｔ２が、クラッチの解放動作の完了から２速段の成立までに要する時間である。
【００９１】
これに対し、実施形態に係る多重変速動作では、図９に示すように、先ず、多重変速要求（２速段への変速指示）がなされた場合にブリッピングを停止し、タービン回転数ＮＴの上昇を抑えて、タービン回転数ＮＴが３速段の同期回転数まで上昇してしまうことを回避し、ワンウェイクラッチが係合されてしまうことを阻止する。そして、クラッチが完全に解放されるまでの期間、上記タービン回転数ＮＴをモニタし、このタービン回転数ＮＴが上記規制回転数に達するまでスロットル開度を増大補正していき（図９にＴ１で示すスロットル開度増大期間を参照）、タービン回転数ＮＴが上記規制回転数に達した時点でスロットル開度を維持する（図９にＴ２で示すスロットル開度維持期間を参照）。そして、クラッチが完全に解放された後に、２速段を成立させるためのブリッピング制御を実行し、この２速段への変速動作（２速段の成立時に係合される摩擦係合要素の係合動作）を開始させる。この場合、２速段への変速動作の開始時には、上記タービン回転数コントロール用ブリッピングによってタービン回転数ＮＴは規制回転数にまで上昇しているので、このタービン回転数を２速段の同期回転数まで上昇させる時間が短縮されることになる。図９における時間Ｔ３が、クラッチの解放動作の完了から２速段の成立までに要する時間である。
【００９２】
以上説明したように、本実施形態では、多重変速時において摩擦係合要素が完全に解放されるまでの期間、タービン回転数ＮＴをモニタし、このタービン回転数ＮＴを上記規制回転数を上限として、できるだけ高い回転数になるようにエンジン１の吸入空気量を調整している。このため、摩擦係合要素が完全に解放した後、第２の目標変速段への変速動作の開始時には、タービン回転数ＮＴは規制回転数にまで上昇しているので、このタービン回転数ＮＴを第２の目標変速段の同期回転数まで上昇させる時間を短縮することができ、多重変速の実行時における変速の応答性を高めることが可能になる。
【００９３】
−他の実施形態−
上記実施形態では、ＦＲ（フロントエンジン・リヤドライブ）車両に対して本発明を適用した場合について説明したが、ＦＦ車両や４輪駆動車に対しても本発明は適用可能である。
【００９４】
また、上記実施形態では、ガソリンエンジン１を搭載した自動車に本発明を適用した場合について説明した。本発明はこれに限らず、ディーゼルエンジンを搭載した自動車にも適用可能である。また、気筒数やエンジン形式（Ｖ型や水平対向型等）についても特に限定されるものではない。
【００９５】
更に、上記実施形態では、３つのプラネタリ３１〜３３を備える変速機構部３０を有する自動変速機２を例に挙げたが、本発明はこれに限るものではなく種々の変速機構部を有する自動変速機に対して適用することが可能である。また、変速機構部３０における変速可能な段数についても特に限定されるものではない。
【産業上の利用可能性】
【００９６】
本発明は、シフトダウン時にブリッピング制御を行う自動変速機の多重変速実行時におけるエンジンの吸入空気量制御に適用可能である。
【符号の説明】
【００９７】
１        エンジン（内燃機関）
２        自動変速機
３        エンジン制御装置
４        トランスミッション制御装置
５        インジェクタ（燃料噴射弁）
６        スロットルバルブ（回転数調整機構）
１１０    入力軸回転数センサ
Ｃ３      クラッチ（摩擦係合要素）
Ｆ１      ワンウェイクラッチ
【図１】
2011247227.tif 000003
【図２】
2011247227.tif 000004
【図３】
2011247227.tif 000005
【図４】
2011247227.tif 000006
【図５】
2011247227.tif 000007
【図６】
2011247227.tif 000008
【図７】
2011247227.tif 000009
【図８】
2011247227.tif 000010
【図９】
2011247227.tif 000011